(57)【要約】      （修正有）【課題】携帯性を損なうことなく過去の記録内容の確認でき、しかもフリーハンドであっても文字の並びや線を可及的きれいに記載することのできる手帳を提供する。【解決手段】１年分のカレンダーを１頁に表示した年間カレンダー頁と、１年間の目標を記入可能とした目標記入頁と、見開きの左側の頁に１日から１５日までの日ごとに区分した記入欄を設けるとともに、見開きの右側の頁に１６日から月末までの日ごとに区分した記入欄を設けた月間カレンダー頁と、前記月間カレンダー頁と翌月の前記月間カレンダー頁との間に設けられ、見開きの左右両側の頁に方眼が記載されたメモ頁と、を表紙と裏表紙との間に設け、表紙の表面から前記裏表紙の表面にかけて耐水性材のシート体を貼付ける。各頁は少なくとも５年分を備えると共に、メモ頁は半透明状の紙を用いて構成し、月間カレンダー頁の記入欄を構成する線分が、メモ頁を透かして方眼の補助線として出現する。【選択図】図６
0003176405.tif 000002
【実用新案登録請求の範囲】
【請求項１】
１年分のカレンダーを１頁に表示した年間カレンダー頁と、
１年間の目標を記入可能とした目標記入頁と、
見開きの左側の頁に１日から１５日までの日ごとに区分した記入欄を設けるとともに、見開きの右側の頁に１６日から月末までの日ごとに区分した記入欄を設けた月間カレンダー頁と、
前記月間カレンダー頁と翌月の前記月間カレンダー頁との間に設けられ、見開きの左右両側の頁に方眼が記載されたメモ頁と、
を表紙と裏表紙との間に設け、前記表紙の表面から前記裏表紙の表面にかけて耐水性材のシート体を貼付けた手帳であって、
少なくとも５年分の前記年間カレンダー頁と、５年分の前記目標記入頁と、５年分の前記月間カレンダー頁と、５年分の前記月間カレンダー頁に対応する前記メモ頁とを有すると共に、
前記メモ頁は半透明状の紙を用いて構成し、前記メモ頁を見開いた際に、前記月間カレンダー頁の記入欄を構成する線分が、前記メモ頁を透かして前記方眼の補助線として出現するよう構成したことを特徴とする手帳。
【請求項２】
少なくとも１年分のカレンダーを１頁に表示した年間カレンダー頁と、
１年間の目標を記入可能とした目標記入頁と、
見開きの左側の頁に１日から月末までの日ごとに区分した記入欄を設けた月間カレンダー頁と、
同カレンダー頁と同じ見開きの右側の頁に設けられ方眼が記載されたメモ頁と、
を表紙と裏表紙との間に設け、前記表紙の表面から前記裏表紙の表面にかけて耐水性材のシート体を貼付けた手帳であって、
少なくとも５年分の前記年間カレンダー頁と、５年分の前記目標記入頁と、５年分の前記月間カレンダー頁と、５年分の前記月間カレンダー頁に対応する前記メモ頁とを有すると共に、
前記メモ頁は半透明状の紙を用いて構成し、前記メモ頁を見開いた際に、翌月の前記月間カレンダー頁の記入欄を構成する線分が、前記メモ頁を透かして前記方眼の補助線として出現するよう構成したことを特徴とする手帳。
【請求項３】
前記月間カレンダー頁の上下左右少なくともいずれかの縁部には、当該月間カレンダー頁の年月を示した見出し部が備えられており、
所定の年に属する月間カレンダー頁と、当該所定の年の前年又は翌年に属する月間カレンダー頁と、で前記見出し部デザインを違えることにより、年の違いを識別可能としたことを特徴とする請求項１又は請求項２に記載の手帳。
【請求項４】
前記デザインは、色、網掛け、模様、マーク、形状から選ばれる少なくともいずれか１つによって特徴付けられるものであることを特徴とする請求項３に記載の手帳。
【請求項５】
前記月間カレンダー頁の３ヶ月毎に対応する前記メモ頁には、偉人の名言が記載されていることを特徴とする請求項１〜４いずれか1項に記載の手帳。
【考案の詳細な説明】
【技術分野】
【０００１】
本考案は手帳に関する。
【背景技術】
【０００２】
従来より、スケジュールの管理ツールやメモ帳として手帳が利用されている。このような手帳としては、目的に応じて掌サイズからＡ４サイズまでの各種の大きさとしたものや、各種のページ構成としたものが提供されている。
【０００３】
本考案者は、従来の手帳には常々不満を感じており、この不満を解消すべく新たな形態の手帳を発明した。すなわち、その手帳とは、それぞれ形態の異なる１ヶ月分のカレンダーとした複数枚の用紙からなる手帳であって、各用紙を両側縁または一側縁においてそれぞれ他の用紙と切離自在、かつ、折り畳み自在に一列に連設するとともに、各用紙の一側端縁に複数の綴じ込み孔を穿設したものである（例えば、特許文献１参照。）。
【０００４】
そして、１ヶ月間使用した後は、用紙ごとに切離して、綴じ込み孔を利用して所定のバインダに綴じ込んで管理可能としている。
【０００５】
本考案者が発明した特許文献１に記載の手帳は、つづら折り状としてコンパクトにすることができ、軽量であることから極めて使いやすいものの、唯一の欠点として、使用後にはバインダなどの綴込用具を用いて綴じて管理する必要があり、綴込用具が持ち運びに不向きであるために、急に過去の記録内容の確認が必要となった場合に、綴込用具を持ち運んでいないことがほとんどであるので、直ちに記録内容を確認することができないという問題があった。
【０００６】
特に、一般的なビジネスにおいては、確認が必要となる過去の記録内容としては、前年あるいは数年前の同月同日またはその前後の日の内容であることが多く、これらの記録内容を速やかに確認可能となっていなかった。
【０００７】
そこで、本考案者は、携帯性を損なうことなく過去の記録内容の確認を行いやすい手帳を考案した（例えば、特許文献２及び特許文献３参照。）。
【先行技術文献】
【特許文献】
【０００８】
【特許文献１】特開２０００−１５８８５２号公報
【特許文献２】実用新案登録第３１３７２０１号公報
【特許文献３】実用新案登録第３１４７７０２号公報
【考案の概要】
【考案が解決しようとする課題】
【０００９】
しかしながら、本考案者が考案した特許文献２に記載の手帳は、携帯性を損なうことなく過去の記録内容の確認を行いやすく、複数枚の無地頁を綴じて形成したメモ帳を備えていることによって、必要なメモを速やかに書きとめることができるものの、同メモ帳が、別冊になっているために、紛失するおそれがあり、また、書きとめたメモの内容を確認する際に、過去のいつの時点での内容であるかを速やかに確認できないおそれがあった。
【００１０】
また、特許文献３に記載の手帳は、携帯性を損なうことなく過去の記録内容の確認を行いやすい手帳であるものの、フリーハンドでメモをとる際に、文字の並びや線が歪みやすいという問題があった。
【００１１】
本考案は、斯かる事情に鑑みてなされたものであって、携帯性を損なうことなく過去の記録内容の確認でき、しかもフリーハンドであっても文字の並びや線を可及的きれいに記載することのできる手帳を提供する。
【課題を解決するための手段】
【００１２】
上記従来の課題を解決するために、請求項１に係る考案では、手帳において、１年分のカレンダーを１頁に表示した年間カレンダー頁と、１年間の目標を記入可能とした目標記入頁と、見開きの左側の頁に１日から１５日までの日ごとに区分した記入欄を設けるとともに、見開きの右側の頁に１６日から月末までの日ごとに区分した記入欄を設けた月間カレンダー頁と、前記月間カレンダー頁と翌月の前記月間カレンダー頁との間に設けられ、見開きの左右両側の頁に方眼が記載されたメモ頁と、を表紙と裏表紙との間に設け、前記表紙の表面から前記裏表紙の表面にかけて耐水性材のシート体を貼付けた手帳であって、少なくとも５年分の前記年間カレンダー頁と、５年分の前記目標記入頁と、５年分の前記月間カレンダー頁と、５年分の前記月間カレンダー頁に対応する前記メモ頁とを有すると共に、前記メモ頁は半透明状の紙を用いて構成し、前記メモ頁を見開いた際に、前記月間カレンダー頁の記入欄を構成する線分が、前記メモ頁を透かして前記方眼の補助線として出現するよう構成した。
【００１３】
また、請求項２に係る考案では、手帳において、少なくとも１年分のカレンダーを１頁に表示した年間カレンダー頁と、１年間の目標を記入可能とした目標記入頁と、見開きの左側の頁に１日から月末までの日ごとに区分した記入欄を設けた月間カレンダー頁と、同カレンダー頁と同じ見開きの右側の頁に設けられ方眼が記載されたメモ頁と、を表紙と裏表紙との間に設け、前記表紙の表面から前記裏表紙の表面にかけて耐水性材のシート体を貼付けた手帳であって、少なくとも５年分の前記年間カレンダー頁と、５年分の前記目標記入頁と、５年分の前記月間カレンダー頁と、５年分の前記月間カレンダー頁に対応する前記メモ頁とを有すると共に、前記メモ頁は半透明状の紙を用いて構成し、前記メモ頁を見開いた際に、翌月の前記月間カレンダー頁の記入欄を構成する線分が、前記メモ頁を透かして前記方眼の補助線として出現するよう構成した。
【００１４】
また、請求項３に係る考案では、請求項１又は請求項２に記載の手帳において、前記月間カレンダー頁の上下左右少なくともいずれかの縁部には、当該月間カレンダー頁の年月を示した見出し部が備えられており、所定の年に属する月間カレンダー頁と、当該所定の年の前年又は翌年に属する月間カレンダー頁と、で前記見出し部デザインを違えることにより、年の違いを識別可能としたことに特徴を有する。
【００１５】
また、請求項４に係る考案では、請求項３に記載の手帳において、前記デザインは、色、網掛け、模様、マーク、形状から選ばれる少なくともいずれか１つによって特徴付けられるものであることに特徴を有する。
【００１６】
また、請求項５に係る考案では、請求項１〜４いずれか1項に記載の手帳において、前記月間カレンダー頁の３ヶ月毎に対応する前記メモ頁には、偉人の名言が記載されていることに特徴を有する。
【考案の効果】
【００１７】
請求項１に係る考案によれば、１年分のカレンダーを１頁に表示した年間カレンダー頁と、１年間の目標を記入可能とした目標記入頁と、見開きの左側の頁に１日から１５日までの日ごとに区分した記入欄を設けるとともに、見開きの右側の頁に１６日から月末までの日ごとに区分した記入欄を設けた月間カレンダー頁と、前記月間カレンダー頁と翌月の前記月間カレンダー頁との間に設けられ、見開きの左右両側の頁に方眼が記載されたメモ頁と、を表紙と裏表紙との間に設け、前記表紙の表面から前記裏表紙の表面にかけて耐水性材のシート体を貼付けた手帳であって、少なくとも５年分の前記年間カレンダー頁と、５年分の前記目標記入頁と、５年分の前記月間カレンダー頁と、５年分の前記月間カレンダー頁に対応する前記メモ頁とを有すると共に、前記メモ頁は半透明状の紙を用いて構成し、前記メモ頁を見開いた際に、前記月間カレンダー頁の記入欄を構成する線分が、前記メモ頁を透かして前記方眼の補助線として出現するよう構成したため、携帯性を損なうことなく過去の記録内容の確認でき、しかもフリーハンドであっても文字の並びや線を可及的きれいに記載することのできる手帳を提供することができる。
【００１８】
また、請求項２に係る考案によれば、少なくとも１年分のカレンダーを１頁に表示した年間カレンダー頁と、１年間の目標を記入可能とした目標記入頁と、見開きの左側の頁に１日から月末までの日ごとに区分した記入欄を設けた月間カレンダー頁と、同カレンダー頁と同じ見開きの右側の頁に設けられ方眼が記載されたメモ頁と、を表紙と裏表紙との間に設け、前記表紙の表面から前記裏表紙の表面にかけて耐水性材のシート体を貼付けた手帳であって、少なくとも５年分の前記年間カレンダー頁と、５年分の前記目標記入頁と、５年分の前記月間カレンダー頁と、５年分の前記月間カレンダー頁に対応する前記メモ頁とを有すると共に、前記メモ頁は半透明状の紙を用いて構成し、前記メモ頁を見開いた際に、翌月の前記月間カレンダー頁の記入欄を構成する線分が、前記メモ頁を透かして前記方眼の補助線として出現するよう構成したため、携帯性を損なうことなく過去の記録内容の確認でき、しかもフリーハンドであっても文字の並びや線を可及的きれいに記載することのできる手帳を提供することができる。
【００１９】
また、請求項３に係る考案によれば、前記月間カレンダー頁の上下左右少なくともいずれかの縁部には、当該月間カレンダー頁の年月を示した見出し部が備えられており、所定の年に属する月間カレンダー頁と、当該所定の年の前年又は翌年に属する月間カレンダー頁と、で前記見出し部デザインを違えることにより、年の違いを識別可能としたため、所望する年月の月間カレンダー頁を参照する際に、見出し部の年月の字面を視認せずとも、見出し部のデザインで直感的に目的とする年に属する月間カレンダー頁であるか否かを判断することができる。
【００２０】
また、請求項４に係る考案によれば、前記デザインは、色、網掛け、模様、マーク、形状から選ばれる少なくともいずれか１つによって特徴付けられるものとしたため、より明確に見出し部のデザインで直感的に目的とする年に属する月間カレンダー頁であるか否かを判断することができる。
【００２１】
また、請求項５に係る考案によれば、前記月間カレンダー頁の３ヶ月毎に対応する前記メモ頁には、偉人の名言を記載したため、手帳の使用者に対し、３ヶ月周期で日々の生活における目標設定のヒントを提供することができる。
【図面の簡単な説明】
【００２２】
【図１】本実施形態に係る手帳の斜視図である。
【図２】年間カレンダー頁の説明図である。
【図３】目標記入頁の説明図である。
【図４】月間カレンダー頁の説明図である。
【図５】メモ頁の説明図である。
【図６】メモ頁の補助線についての説明図である。
【図７】住所録頁の説明図である。
【図８】個人情報頁の説明図である。
【図９】内ポケット部の説明図である。
【図１０】変形例に係る手帳の月別記入セクションを示した説明図である。
【考案を実施するための形態】
【００２３】
本考案は、１年分のカレンダーを１頁に表示した年間カレンダー頁と、１年間の目標を記入可能とした目標記入頁と、見開きの左側の頁に１日から１５日までの日ごとに区分した記入欄を設けるとともに、見開きの右側の頁に１６日から月末までの日ごとに区分した記入欄を設けた月間カレンダー頁と、前記月間カレンダー頁と翌月の前記月間カレンダー頁との間に設けられ、見開きの左右両側の頁に方眼が記載されたメモ頁と、を表紙と裏表紙との間に設け、前記表紙の表面から前記裏表紙の表面にかけて耐水性材のシート体を貼付けた手帳であって、少なくとも５年分の前記年間カレンダー頁と、５年分の前記目標記入頁と、５年分の前記月間カレンダー頁と、５年分の前記月間カレンダー頁に対応する前記メモ頁とを有すると共に、前記メモ頁は半透明状の紙を用いて構成し、前記メモ頁を見開いた際に、前記月間カレンダー頁の記入欄を構成する線分が、前記メモ頁を透かして前記方眼の補助線として出現するよう構成したことを特徴とする手帳を提供するものである。
【００２４】
また、本考案は、少なくとも１年分のカレンダーを１頁に表示した年間カレンダー頁と、１年間の目標を記入可能とした目標記入頁と、見開きの左側の頁に１日から月末までの日ごとに区分した記入欄を設けた月間カレンダー頁と、同カレンダー頁と同じ見開きの右側の頁に設けられ方眼が記載されたメモ頁と、を表紙と裏表紙との間に設け、前記表紙の表面から前記裏表紙の表面にかけて耐水性材のシート体を貼付けた手帳であって、少なくとも５年分の前記年間カレンダー頁と、５年分の前記目標記入頁と、５年分の前記月間カレンダー頁と、５年分の前記月間カレンダー頁に対応する前記メモ頁とを有すると共に、前記メモ頁は半透明状の紙を用いて構成し、前記メモ頁を見開いた際に、翌月の前記月間カレンダー頁の記入欄を構成する線分が、前記メモ頁を透かして前記方眼の補助線として出現するよう構成したことを特徴とする手帳を提供するものでもある。
【００２５】
ここで年間カレンダー頁は、１年分のカレンダーが１頁に記載されていても良く、また、２年分以上のカレンダーが１頁に記載されていても良い。１頁の縦横幅や見やすさ等を考慮して記載すると良い。
【００２６】
また、年間カレンダー頁は、後述する５年分の月間カレンダー頁に対応する５年分のカレンダーが少なくとも記載されていれば良い。すなわち、５年分の月間カレンダー頁の最初の年（以下、１年目ともいう。）の前年以前のカレンダーや、最後の年（以下、五年目ともいう。）の翌年以降のカレンダーが記載されていても良い。
【００２７】
目標記入頁は、後述する５年分の月間カレンダー頁に対応する５年分の頁を備えるのが好ましい。特に、１頁に１年分の目標を記入可能に構成することで、目標記入頁の頁毎に、その年の目標を整然と記入させることができる。
【００２８】
また、５年目の目標記入頁は２頁設けるようにしても良い。このような構成とすることにより、５年分の目標記入頁のページ数を偶数として見開き両頁を目標記入頁とすることができると共に、５年後の夢についても１〜４年目の時点で記入可能とすることができる。特に、５年目に、過去に記入した夢についての記載を参照することで、５年目時点での自分に対し評価や自省を促すことができる。
【００２９】
月間カレンダー頁は、本実施形態に係る手帳において少なくとも５年分備えられている。具体的には、５年分と６年目の１〜３月（第１四半期）分が備えられている。
【００３０】
また、月間カレンダー頁は、見開きの左側の頁に１日から１５日までの日ごとに区分した記入欄を設けるとともに、見開きの右側の頁に１６日から月末までの日ごとに区分した記入欄を設けて構成することができる。なお、以下の説明において、このような月間カレンダー頁の構成を見開き構成と言う。
【００３１】
このような見開き構成とすることにより、手帳の携帯性を重視して小型に形成した場合であっても、日々の記録や予定を十分に書き込むことができる。また、その月の記録や予定を、次頁をめくることなく見渡すことができる。
【００３２】
また、月間カレンダー頁は、見開きの左側の頁に１日から月末までの日ごとに区分した記入欄を設けて構成しても良い。なお、以下の説明において、このような月間カレンダー頁の構成を片頁構成とも言う。
【００３３】
このような形態は、特に持ち運びの利便性を確保しながらも記録性を重視して頁の縦横幅を比較的大きめに形成した際に適用すると良い。このような片頁構成によっても、上述のような効果を享受することができる。
【００３４】
メモ頁は、月間カレンダー頁に対応させて月毎に設けており、その月の備忘録として機能する頁である。また、このメモ頁には、格子状の方眼が印刷されており、フリーハンドであっても文字の並びや直線を可及的きれいに記載できるようにしている。なお、この方眼は、前述の月間カレンダー頁の記入欄を構成する線分の間隔よりも広いピッチで形成している。
【００３５】
メモ頁は、月間カレンダー頁を見開き構成とした場合には、同月に対応する左右見開きのメモ頁を、翌月の月間カレンダー頁との間に設けている。すなわち、月間カレンダー頁の１６日から月末までを示した右頁の翌頁及び翌々頁をメモ頁としている。
【００３６】
特に、月間カレンダー頁を見開き構成とした本実施形態に係る手帳に特徴的には、メモ頁は半透明状の紙を用いて構成し、メモ頁を見開いた際に、月間カレンダー頁の記入欄を構成する線分が、メモ頁を透かして前記方眼の補助線として出現するよう構成している。
【００３７】
すなわち、メモ頁を見開き、左頁のメモ頁はその前々頁に、右頁のメモ頁はその翌々頁に密着させることで、左頁のメモ頁には当月の月間カレンダー頁の記入欄を構成する線分により、右頁のメモ頁には翌月の月間カレンダー頁の記入欄を構成する線分によって、各メモ頁に印刷されている方眼をより細かに分割する補助線が出現するように構成している。
【００３８】
したがって、フリーハンドであっても、よりきれいに、且つ、細かに文字の並びや直線を記載することができる。
【００３９】
また、月間カレンダー頁を片頁構成とした場合には、同月間カレンダー頁を見開きの左頁とし、同月に対応するメモ頁を見開きの右頁としている。
【００４０】
そして、同メモ頁は半透明状の紙を用いて構成し、メモ頁を見開いた際に、翌月の前記月間カレンダー頁の記入欄を構成する線分が、メモ頁を透かして方眼の補助線として出現するよう構成している。
【００４１】
すなわち、メモ頁を翌々頁に密着させることで、メモ頁には、翌月の月間カレンダー頁の記入欄を構成する線分によって、同メモ頁に印刷されている方眼をより細かに分割する補助線が出現するように構成している。
【００４２】
この場合も前述の見開き構成と同様に、フリーハンドであっても、よりきれいに、且つ、細かに文字の並びや直線を記載することができることとなる。
【００４３】
また、本実施形態に係る手帳の月間カレンダー頁には、上下左右いずれかの縁部に、当該月間カレンダー頁年月を示した見出し部が備えられており、所定の年に属する月間カレンダー頁と、当該所定の年の前年又は翌年に属する月間カレンダー頁と、で前記見出し部デザインを違えることにより、年の違いを識別可能としている。
【００４４】
ここでデザインを違えるとは、使用者が一見して隣り合う他の年との違いが分かる構成であれば良く、例えば、色彩、色彩の濃淡、網掛け、模様、マーク、形状等を異ならせることで実現することができる。
【００４５】
また、デザインは、所定の年のデザインが、１年目は翌年と、５年目は前年と、２〜４年目はその両方（前年及び翌年）のデザインと少なくとも一見して分かる程度に異なっていれば良い。すなわち、１、３、５年目が第１のデザイン、２、４年目が第２のデザインで見出し部が構成されていても良い。また、１、４年目が第１のデザイン、２、５年目が第２のデザイン、３年目が第３のデザインとして見出し部を構成しても良い。さらに第４のデザインを加えてもよいし、第５のデザインを加えて各年でそれぞれ異なるデザインとしても良いのは勿論である。
【００４６】
このような構成を備えることにより、所望する年月の月間カレンダー頁を参照する際に、見出し部の年月の字面を視認せずとも、見出し部のデザインで直感的に目的とする年に属する月間カレンダー頁であるか否かを判断することができる。
【００４７】
具体的には、例えば、ぱらぱらマンガをめくるときのように、手帳のページ束の縁部（小口）をやや斜めにし、この縁部上で親指をスライドさせながらページ送りをするめくり方（以下、早めくりという。）を行って所望する月の月間カレンダー頁を参照する際に、見出し部の年月の字面を確認せずとも、見出し部のデザインで直感的に目的とする年に属する月間カレンダー頁であるか否かを判断することができる。すなわち、参照する月間カレンダー頁の年月のうち、年を容易に絞り込むことができ、参照する月間カレンダー頁を素早く見つけることができる。
【００４８】
また、月間カレンダー頁の３ヶ月毎に対応するメモ頁には、偉人の名言が記載されている。この構成により、手帳の使用者に対し、３ヶ月周期で日々の生活における目標設定のヒントを提供することができる。
【００４９】
以下、本実施形態に係る手帳について、図面を参照しながら詳説する。
【００５０】
図１は、本実施形態の手帳の斜視図であり、図２は、年間カレンダー頁の説明図であり、図３は、目標記入頁の説明図である。
【００５１】
まず、本考案にかかる実施形態の手帳Ａの外観について説明する。図１に示すように、手帳Ａは、２０１２年から２０１６年まで使用されることを想定して作られたものであり、厚手の紙製の表紙１１と裏表紙１２を有し、表紙１１の表面から裏表紙１２の表面にかけて耐水性材のシート体１３を貼付けるとともに、シート体１３を二つ折り状態としている。更に、頁の目印のための紐状の栞１４が複数本設けられている。
【００５２】
また、手帳Ａは表紙１１やシート体１３を保護するために、表紙１１を被うシート体１３を被包するように形成されたカバー体４０を有する。
【００５３】
特に、シート体１３は、合成皮革材で形成することにより、耐水性を備えさせるだけでなく、手に馴染みやすく、しかも高級感を醸し出させることができる。
【００５４】
また、シート体１３は地色を金色としている。したがって、手帳Ａを鞄に入れて持ち運ぶ際に、鞄の中で目立たせることができ、速やかに鞄から取り出すことができる。なお、シート体１３は必ずしも無地である必要はなく、全体的に暗色系とならない程度で所要のデザインを施してもよい。
【００５５】
栞１４は、本実施形態に係る手帳Ａでは３本設けており、それぞれ異なる色、例えば、赤色と黄色と緑色とで構成している。このようにそれぞれの栞１４の色を違えることにより、例えば、赤色は現在、黄色は直近の予定など、使用者が各色に機能を紐付けすることができ、使用者が確認したい過去の記録内容や将来の予定などの記載事項を速やかに検索できるため、使用者の利便性を向上させている。
【００５６】
手帳Ａの大きさは、二つ折り状態で縦１２９．４ｍｍ、横８０ｍｍとしている。このサイズとすることにより、手に持った場合の収まりがよく、片手で支持しながら記入を行うことができる。しかも、ワイシャツの胸ポケットや背広のポケットへの収まりがよく、携帯性を向上させることができる。また、手帳Ａの縦横寸法比は、横１に対して、縦１．６〜１．６５として、黄金比（１：（１＋√５）／２）に近似した比率としており、視覚的にも安定感のある美しいデザインとしている。
【００５７】
次に、手帳Ａの各頁の構成について説明する。表紙１１と裏表紙１２の間には、同表紙１１から裏表紙１２にかけて順に、複数枚の年間カレンダー頁２１により構成される年間カレンダーセクション５１と、複数枚の目標記入頁２２により構成される目標記入セクション５２と、月間カレンダー頁２３及びメモ頁２４により構成される月別記入セクション５３と、住所録を記載可能に構成した複数枚の住所録頁２５により構成される住所録セクション５５と、個人情報を記入可能に構成した個人情報頁２６とが備えられている。
【００５８】
図２は年間カレンダーセクション５１のうち、２０１２年と２０１３年の年間カレンダー頁２１が記載されている見開きを示した説明図である。
【００５９】
年間カレンダーセクション５１は、２０１２年から２０１７年までの６年分の年間カレンダー頁２１により構成しており、本手帳Ａの使用期間である２０１２年から２０１６年までの５年間分の年間カレンダー頁２１を少なくとも備えるものである。年間カレンダーセクション５１を６年分としているのは、使用期間の最終年（２０１６年）で使用している状態において、翌年のカレンダーを確認可能とすると共に、年間カレンダーセクション５１の構成頁を偶数として、全ての年間カレンダー頁２１を見開きで参照可能とするためである。
【００６０】
年間カレンダー頁２１は、図２に示すように、左上部位置にカレンダーの数字よりも大きめのフォントでそのカレンダーが示す年を記載した年表示部２１ａと、この年表示部２１ａの下方に各月別に１年分のカレンダーが記載されたカレンダー表示部２１ｂとを備えており、１頁に１年間のカレンダーを示すことで、暦の確認を行いやすくしている。
【００６１】
また、カレンダー表示部２１ｂのさらに下方には、祝日表示部２１ｃが配置されており、その年の祝日が日付と対応させた状態で記載されている。
【００６２】
図３は年間目標記入セクション５２のうち、２０１２年と２０１３年の目標記入頁２２の見開きを示した説明図である。
【００６３】
目標記入セクション５２は、２０１２年から２０１６年までの５年分の目標記入頁２２により構成しており、本手帳Ａの使用期間である２０１２年から２０１６年までの５年間分の年間カレンダー頁２１を少なくとも備えるものである。なお、最終年の目標記入頁２２は見開きで２頁分としている。これは、目標記入セクション５２の構成頁を偶数として、全ての目標記入頁２２を見開きで参照可能とするとともに、５年後の夢についても１〜４年目の時点で記入可能とすべく筆記可能スペースを大きくとるためである。
【００６４】
目標記入頁２２は、図３に示すように、目標を掲げた年を示す年表示部２２ａと、その年の目標を記載するスペースとして年表示部２２ａの下方に設けられた目標記載部２２ｂとを備えている。
【００６５】
また、目標記載部２２ｂには、方眼２２ｃが予め印刷されており、その年の目標を、図や文字を交えつつ整然と記載できるよう構成している。
【００６６】
月別記入セクション５３は、５年＋６年目の第１四半期分の月間カレンダー頁２３と、各月の備忘録として機能するメモ頁２４とで構成しており、所定の月の月間カレンダー頁２３の見開きの次には、当該所定の月に対応するメモ頁２４の見開きがあり、その次には翌月の月間カレンダー頁２３がくるよう構成している。
【００６７】
すなわち、月別記入セクション５３は、月間カレンダー頁２３の見開きと、メモ頁２４の見開きとが５年＋６年目の第１四半期分に亘って繰り返し交互に配置されている。さらに換言すれば、月別記入セクション５３は、所定の月の月間カレンダー頁２３の見開きと、翌月の月間カレンダー頁２３の見開きとの間に、メモ頁２４の見開きが介設されるようにしている。
【００６８】
図４（ａ）は月別記入セクション５３のうち、２０１２年１月の月間カレンダー頁２３の見開きを示した説明図である。
【００６９】
月間カレンダー頁２３は、月別記入セクション５３において、２０１２年１月から２０１７年３月まで、毎月づつ５年分が備えられている。
【００７０】
月間カレンダー頁２３は、図４に示すように、見開きの左側に設けられ１日から１５日までの日ごとに区分した記入欄が備えられた月前半頁と、見開きの右側に設けられ１６日から月末までの日ごとに区分した記入欄が備えられた月後半頁とを有している。
【００７１】
また、月間カレンダー頁２３は、当該月間カレンダー頁２３の年月を示す見出部２３ａと、その月の日ごとの予定や記録を記載するスペースとして見出部２３ａの下方に設けられた記録スペース２３ｂと、記録スペース２３ｂに予め記載されている記号等の説明を補足する説明スペース２３ｃとを備えている。
【００７２】
見出部２３ａは、月間カレンダー頁２３の上下左右少なくともいずれかの縁部に設けられるものであり、本実施形態では、月前半頁においては上縁の左寄り位置に、月後半頁においては上縁の右より位置に設けており、しかも、月前半頁の見出部２３ａと月後半頁の見出部２３ａとは、手帳Ａを閉じた際に対向する位置に設けている。また、この見出部２３ａの位置は、他の年月の月間カレンダー頁２３においても同じ位置としている。ただし、この位置は、上下左右少なくともいずれかの縁部で、手帳Ａを閉じた際に対向する位置で、かつ、他の年月の月間カレンダー頁２３においても同じ位置という要件を満たせば特に限定されるものではなく、例えば、月前半頁においては左縁に、月後半頁においては右縁に設けても良い。
【００７３】
また、見出部２３ａの特徴として、使用者によって開かれた月間カレンダー頁２３の年月を示す表示を少なくとも備えつつ、所定の年に属する月間カレンダー頁２３と、当該所定の年の前年又は翌年に属する月間カレンダー頁２３とで見出部２３ａのデザインを違えることにより、年の違いを識別可能としている。
【００７４】
具体的には、図４（ｂ）に示すように、本実施形態では各年毎に網掛けのデザインを違えて、見出部２３ａの年月の字面を確認せずとも、見出部２３ａのデザインで直感的に目的とする年に属する月間カレンダー頁２３であるか否かを判断可能としている。
【００７５】
記録スペース２３ｂは、左右方向へ伸延する記入欄仕切線６１が上下複数段に亘って設けられており、各記入欄仕切線６１の間を、日ごとの予定や記録を記載する記入欄６２としている。
【００７６】
記入欄仕切線６１の間隔は、後述のメモ頁２４の方眼６５の横線の間隔幅の等倍よりも大きく、２倍より小さい間隔としている。また、記入欄仕切線６１は月間カレンダー頁２３の月前半頁と月後半頁とで互いに対向する位置に設けている。
【００７７】
各記入欄６２には、その左側に日付と曜日、祝日名や六曜が示されており、また、右側には月齢を示すマークや二十四節気の名称が示されている。このように記入欄６２に月齢を示すマークを表示することにより、例えば漁業関係などのように潮の満ち引きの状態に影響を受けやすい業種において、前年あるいは数年前の同月同日近くの同じような潮の状態の日における記載内容を参照できるので、より正しい判断を下せるようにすることができる。また、記入欄６２に二十四節気の名称や六曜を表示することによって、季節品を取り扱う業種や六曜の影響を受ける業種において、二十四節気や六曜を参考に前年あるいは数年前の記載内容を参照できるので、より正しい判断を下せるようにすることができる。
【００７８】
また、各月の第１日目用の記入欄６２の上部には、日付等が記載されていない空白の空白行６３を設けている。このように空白行６３を設けることにより、この空白行６３の上部に設けられた見出部２３ａの視認性を高めることができる一方で、空白行６３には、１ヶ月の目標や、ＴｏＤｏ項目を記入することにより、現状認識を行いやすくすることができる。
【００７９】
説明スペース２３ｃは、記録スペース２３ｂの下方に設けられており、特に本実施形態では、月間カレンダー頁２３（月前半頁）の記録スペース２３ｂの下方位置としている。この説明スペース２３ｃは必要に応じて設けることができ、本実施形態では月前半頁のみに設けているが、月後半頁のみに設けたり、両頁に設けてもよく、また、特に説明する事項がなければ、いずれの頁に設けなくとも良い。
【００８０】
この説明スペース２３ｃには、記入欄６２に記載されている月齢を示すマークの意味を記載して、使用者がマークの意味を容易に理解できるようにしている。なお、本実施形態において説明スペース２３ｃには、月齢を示すマークの説明のみを記載しているが、これに限定されるものではなく、その他のマークの説明や、六曜の意味などについて記載しても良い。
【００８１】
メモ頁２４は、月間カレンダー頁２３の見開きの次の見開きに左右両頁に亘って設けられており、月間カレンダー頁２３に対応させてメモを記載可能としている。
【００８２】
具体的には図５に示すように、メモ頁２４は、メモを記載するためのページであることを示す表題部２４ａと、メモを記載するためのスペースとして機能するメモ部２４ｂと、偉人の名言を記載する名言部２４ｃとを備えている。
【００８３】
表題部２４ａは、当該頁がメモを記載するためのページであることが手帳Ａの使用者に対して分かるよう文字や図形によって表示するための部位である。
【００８４】
メモ部２４ｂは、使用者がメモを記載するための部位であり、特徴的には直線を格子状に配してなる方眼６５（図中破線で示す）と、方眼６５の横線と平行な補助線（図中細実線で示す）とを備えている。
【００８５】
方眼６５は、縦２１マス×横１３マスのものであり、メモ頁２４の略全面に亘って印刷が施されている。この方眼６５は、使用者がメモを記載するにあたり、フリーハンドであっても、文字の並びや直線を整然と記載可能とするためのものである。すなわち、方眼６５を備えない無地のメモ頁を有する従来の手帳に比して、メモを整然ときれいに記載することができる。
【００８６】
また、メモ部２４ｂには、メモ頁２４を見開いた際に、補助線６６が出現するように構成している。
【００８７】
具体的には、メモ頁２４は、淡クリームキンマリ（四六判T目 55kg）を用いて、メモ頁２４同士を重畳・密着させた時に半透明状となるよう構成しており、左頁のメモ頁２４（以下、前半メモ頁ともいう。）には、同メモ頁２４に対応する月間カレンダー頁２３の記入欄６２を構成する線分（記入欄仕切線６１）が、前半メモ頁を透かして方眼６５の補助線６６として出現するよう構成し、右頁のメモ頁２４（以下、後半メモ頁ともいう。）には、翌月の月間カレンダー頁２３の記入欄仕切線６１が後半メモ頁を透かして方眼６５の補助線６６として出現するよう構成している。なお、本実施形態では、上述の紙をメモ頁２４に使用したが、これに限定されるものではなく、例えば、白色、又は極度に着色が施されていない紙で、紙厚が90μm以下であれば、好適に用いることができる。勿論、方眼を除いた部分は、着色の有無に拘わらず無地であるのが望ましい。
【００８８】
付言すると、例えば前半メモ頁の補助線６６は、前半メモ頁に直接印刷されたものではなく、同メモ頁２４に対応する月の月間カレンダー頁２３の月前半頁及び月後半頁の記入欄仕切線６１が透けて浮かび上がるものである。
【００８９】
したがって、図６（ａ）に示すように、もともとのメモ頁２４には補助線６６が示されていないが、メモ頁２４をしっかりと見開いて前半メモ頁を月前半頁に密着させ、後半メモ頁を翌月の月後半頁に密着させることで、図６（ｂ）に示すように、メモ頁２４に補助線６６が出現することとなる。
【００９０】
これは、例えば前半メモ頁に出現する補助線６６を例に説明すると、図６（ａ）に示すように、前半メモ頁表面から入射し同頁を透過して月前半頁の表面に至った光は反射して前半メモ頁の裏面（すなわち、月後半頁の表面）に至ることとなるが、前半メモ頁を月前半頁に対して浮かせている場合には、かなりの光量が月後半頁の表面で反射されてしまう。
【００９１】
したがって、前半メモ頁の裏面から表面に向けて透過する光量が少ないため、光が透過しにくい記入欄仕切線６１の部分と、光が透過しやすい無地の部分とでコントラストがつきにくく補助線６６は殆ど出現しない状態となる。
【００９２】
一方、メモ頁２４をしっかり見開いて密着させた場合には、前半メモ頁を透過して月前半頁に至りその表面で反射された光は、前半メモ頁を浮かせている場合に比してより多くの光が前半メモ頁の裏面から表面へ向けて透過することとなるため、コントラストが明瞭となり、補助線６６が明確に出現することとなる。
【００９３】
すなわち、前半メモ頁の場合、前半メモ頁の裏面にて反射されてしまうことを抑制しつつ月前半頁からの反射光を前半メモ頁を透過させて、無地部分の明るさ（明度）を向上させることによりコントラストを明瞭として補助線６６が浮かび上がるようにしている。なお、後半メモ頁についても、翌月の月間カレンダー頁２３の月後半頁との間で同様のことが起こり、補助線６６が出現することとなる。
【００９４】
このような仕組みによって補助線６６が現れるようにしているため、筆圧によってメモ頁２４が密着した際には補助線６６が出現し、筆記時以外ではメモ頁は多少浮かび上がるので、メモを読む際の邪魔になることがない。また、方眼６５のみの場合に比して、フリーハンドであっても、よりきれいに、且つ、細かに文字の並びや直線を記載することができる。
【００９５】
また、記入欄仕切線６１の上下方向の間隔は、方眼６５の横線の間隔幅の等倍よりも大きく、２倍より小さい間隔としているため、方眼６５を補助線６６によってより細かに分割することができ、使用者がメモ頁２４により詳細な文字や図を記載することを補助することができる。
【００９６】
併せて、記入欄仕切線６１は月間カレンダー頁２３の月前半頁と月後半頁とで互いに対向する位置に設けているため、メモ頁２４を見開いた際に月前半頁の記入欄仕切線６１と月後半頁の記入欄仕切線６１とがぴったりと重なりあうこととなる。
【００９７】
したがって、補助線６６の無地部分に対するコントラストをより明瞭とすることができる。
【００９８】
図５の説明に戻り、名言部２４ｃは、古今東西様々な偉人の名言を記載する部位である。この名言部２４ｃは、月間カレンダー頁の３ヶ月毎に対応する前記メモ頁に記載されるものであり、名言部２４ｃが設けられていないメモ頁２４もある。この構成により、手帳の使用者に対し、３ヶ月周期で日々の生活における目標設定のヒントを提供することができる。
【００９９】
次に、図７に住所録頁２５を示す。この住所録頁２５は手帳Ａにおいて複数枚綴じられており、住所録セクション５５の一部を構成するものである。
【０１００】
住所録頁２５は、図７に示すように、複数人分の勤務先情報や電話番号、メールアドレス等を記載する欄が設けられている。なお、この住所録頁２５は必要に応じて設けることができ、不要な場合は省略しても良い。
【０１０１】
個人情報頁２６は、図８に示すように、手帳Ａの使用者の名前、住所、電話番号などの記入欄を設けた頁であり、本実施形態では、裏表紙１２の前に設けた最終頁２７の前に設けている。最終頁２７は、個人情報頁２６の保護用に設けているものである。
【０１０２】
個人情報頁２６は、運転免許証番号記入欄２６ａ、健康保険証番号記入欄２６ｂ、パスポート番号記入欄２６ｃを設けており、特に、運転免許証番号記入欄２６ａ及びパスポート番号記入欄２６ｃには、有効期限年月日を記入させることにより、有効期限の途過を防止しやすくすることができる。
【０１０３】
カバー体４０は、手帳Ａの表紙１１やシート体１３を保護するために、表紙１１やシート体１３を被包するように形成されている。カバー体４０の材質は、可撓性を有する柔軟な合成樹脂（例えば、塩化ビニルなど）などにより構成されている。
【０１０４】
内ポケット部４１は、図９に示すように、手帳Ａの裏表紙１２の外側端近傍に、カバー体４０によって形成される一側縁を開口縁４０ａとした矩形状のポケットである。内ポケット部４１には、例えば、出張などの際、乗車券などを仮に収納することができ、乗車券を紛失するおそれを無くすことができる。
【０１０５】
また、図示しないが、手帳Ａ内の頁が１年分毎に脱着自在とすることにより、適宜古い頁は取り外し、将来の新しい頁は後で装着する構造とすることもできる。その結果、必要のない頁を省くことができ、例えば手帳Ａを持ち歩く際に、手帳Ａを軽量化でき、持ち運びを楽に行うことができる。また、大切な内容が記載されている古い頁を別途保管でき、外で紛失するおそれがなくなる。
【０１０６】
以下に、本考案の実施形態にかかる手帳Ａの使用形態について説明する。
【０１０７】
本考案の実施形態にかかる手帳Ａでは、５年分の年間カレンダー頁２１と、５年分の目標記入頁２２と、５年分の月間カレンダー頁２３を有することによって、手帳Ａの使用者は、同地の手帳を５年にわたって使用することができ、過去の記録内容の確認を速やかに行うことができる。しかも、中長期に亘った自己の目標達成状況や事業の推移状況を容易に確認できる。
【０１０８】
更に、手帳Ａが、５年分の各月間カレンダー頁２３間にメモ頁２４を有することによって、メモ頁２４を別冊とした場合と比較すると、使用者は、メモ頁２４を紛失するおそれがない。更に、メモ頁２４が各月間カレンダー頁２３間に形成されていることから、書きとめたメモの内容を確認する際に、過去のいつの時点での内容であるかを速やかに確認できる。
【０１０９】
特に、年度始まりの使用者は、例えば、本考案の実施形態にかかる手帳Ａが月間カレンダー頁２３を２０１２年１月から始まる様に収録した際に、２０１６年１２月までではなく、２０１７年３月までの月間カレンダー頁２３を有することによって、手帳Ａを有効に活用することができる。つまり、手帳Ａは、使用者が手帳Ａを使い始める時期を問わないことから、幅広い層の使用者に利用されることができる。
【０１１０】
また使用者は、栞１４を活用することにより、確認したい過去の記録内容や将来の予定などの記載事項を速やかに検索できる。なお、ここでは、栞の色は赤色、黄色、緑色で構成しているが、栞の色の種類は問わない。
【０１１１】
例えば、使用者は、赤色の栞１４を現在の月間カレンダー頁２３に、直近の予定に黄色の栞１４を、緑色の栞１４を現在より１年前の月間カレンダー頁２３に、それぞれ挟むことにより、現在の事業内容と１年前の事業内容である過去の記録内容との比較や確認を速やかに行うことができる。他にも、使用者は、自身の確認したい内容によって、複数本の栞１４を使い分けることにより、手帳Ａをより効率的に活用することができる。
【０１１２】
次に、変形例に係る手帳Ｂについて図１０を参照しながら説明する。なお、以下の説明では、前述と同様の構成については同じ符号を付して説明を省略する。図１０は手帳Ｂにおける月別記入セクション１５３の見開きを示した説明図である。
【０１１３】
本変形例に係る手帳Ｂは、前述の手帳Ａと略同様の構成を備えるものであるが、手帳Ｂの縦横寸法や、月別記入セクション１５３において構成を異にする。
【０１１４】
具体的には、手帳Ｂは、二つ折り状態で縦１７３．１ｍｍ、横１０７ｍｍとすることで、手帳Ａに比して１頁あたりの情報量や記録量をより大きくしている。なお、手帳Ｂにおいても、手帳Ａと同様、縦横寸法の黄金比に近似させた比率は保たれている。
【０１１５】
また、月別記入セクション１５３の見開きでは、見開きの左側の頁に１日から月末までの日ごとに区分した記入欄６２を備えた月間カレンダー頁１２３を設け、また、同カレンダー頁と同じ見開きの右側の頁に方眼が記載されたメモ頁１２４を月に対応させて設けている。なお、メモ頁１２４の次頁は、記入欄６２を備える翌月の月間カレンダー頁１２３となる。
【０１１６】
それゆえ、メモ頁１２４を翌月のメモ頁１２４に密着させることにより、図１０に示すように、方眼６５に補助線６６を出現させることができる。
【０１１７】
このような手帳Ｂにおいても、補助線６６の無地部分に対するコントラストをより明瞭として、フリーハンドであっても、よりきれいに、且つ、細かに文字の並びや直線を記載することができる。また、筆記時以外では、補助線６６が薄くなり判読の邪魔になってしまうことを防止できる。
【０１１８】
上述してきたように、本実施形態に係る手帳Ａによれば、１年分のカレンダーを１頁に表示した年間カレンダー頁（例えば、年間カレンダー頁２１）と、１年間の目標を記入可能とした目標記入頁（例えば、目標記入頁２２）と、見開きの左側の頁に１日から１５日までの日ごとに区分した記入欄を設けるとともに、見開きの右側の頁に１６日から月末までの日ごとに区分した記入欄を設けた月間カレンダー頁（例えば、月間カレンダー頁２３）と、前記月間カレンダー頁と翌月の前記月間カレンダー頁との間に設けられ、見開きの左右両側の頁に方眼（例えば、方眼６５）が記載されたメモ頁（例えば、メモ頁２４）と、を表紙（例えば、表紙１１）と裏表紙（例えば、裏表紙１２）との間に設け、前記表紙の表面から前記裏表紙の表面にかけて耐水性材のシート体（例えば、シート体１３）を貼付けた手帳Ａであって、少なくとも５年分の前記年間カレンダー頁と、５年分の前記目標記入頁と、５年分の前記月間カレンダー頁と、５年分の前記月間カレンダー頁に対応する前記メモ頁とを有すると共に、前記メモ頁は半透明状の紙を用いて構成し、前記メモ頁を見開いた際に、前記月間カレンダー頁の記入欄を構成する線分（例えば、記入欄仕切線６１）が、前記メモ頁を透かして前記方眼の補助線（例えば、補助線６６）として出現するよう構成したため、携帯性を損なうことなく過去の記録内容の確認でき、しかもフリーハンドであっても文字の並びや線を可及的きれいに記載することのできる手帳を提供することができる。
【０１１９】
また、変形例に係る手帳Ｂによれば、少なくとも１年分のカレンダーを１頁に表示した年間カレンダー頁（例えば、年間カレンダー頁２１）と、１年間の目標を記入可能とした目標記入頁（例えば、目標記入頁２２）と、見開きの左側の頁に１日から月末までの日ごとに区分した記入欄を設けた月間カレンダー頁（例えば、月間カレンダー頁１２３）と、同カレンダー頁と同じ見開きの右側の頁に設けられ方眼（例えば、方眼６５）が記載されたメモ頁（例えば、メモ頁１２４）と、を表紙（例えば、表紙１１）と裏表紙（例えば、裏表紙１２）との間に設け、前記表紙の表面から前記裏表紙の表面にかけて耐水性材のシート体（例えば、シート体１３）を貼付けた手帳Ｂであって、少なくとも５年分の前記年間カレンダー頁と、５年分の前記目標記入頁と、５年分の前記月間カレンダー頁と、５年分の前記月間カレンダー頁に対応する前記メモ頁とを有すると共に、前記メモ頁は半透明状の紙を用いて構成し、前記メモ頁を見開いた際に、翌月の前記月間カレンダー頁の記入欄を構成する線分（例えば、記入欄仕切線６１）が、前記メモ頁を透かして前記方眼の補助線（例えば、補助線６６）として出現するよう構成したため、携帯性を損なうことなく過去の記録内容の確認でき、しかもフリーハンドであっても文字の並びや線を可及的きれいに記載することのできる手帳を提供することができる。
【０１２０】
最後に、上述した各実施の形態の説明は本考案の一例であり、本考案は上述の実施の形態に限定されることはない。このため、上述した各実施の形態以外であっても、本考案に係る技術的思想を逸脱しない範囲であれば、設計等に応じて種々の変更が可能であることは勿論である。
【符号の説明】
【０１２１】
１１  表紙
１２  裏表紙
１３  シート体
１４  栞
２１  年間カレンダー頁
２２  目標記入頁
２３  月間カレンダー頁
２３ａ  見出部
２４  メモ頁
２４ｂ  メモ部
２４ｃ  名言部
４０  カバー体
６１  記入欄仕切線
６２  記入欄
６５  方眼
６６  補助線
１２３  月間カレンダー頁
１２４  メモ頁
Ａ  手帳
Ｂ  手帳
【図１】
0003176405.tif 000003
【図２】
0003176405.tif 000004
【図３】
0003176405.tif 000005
【図４】
0003176405.tif 000006
【図５】
0003176405.tif 000007
【図６】
0003176405.tif 000008
【図７】
0003176405.tif 000009
【図８】
0003176405.tif 000010
【図９】
0003176405.tif 000011
【図１０】
0003176405.tif 000012